(57)【要約】  装置は、入力信号を受信するように構成された主増幅器を含む。主増幅器はまた、出力信号を生成するように構成される。装置はまた、出力信号のブロッカー成分を低減またはキャンセルするためのキャンセル信号を生成するために、入力信号を位相シフトするように構成された補助経路を含む。
2017503431.tif 000002
【特許請求の範囲】
【請求項１】
入力信号を受信して、出力信号を生成するように構成された主増幅器と、
前記出力信号のブロッカー成分を低減またはキャンセルするためのキャンセル信号を生成するために、前記入力信号を位相シフトするように構成された補助経路と
を備える、装置。
【請求項２】
前記補助経路が、前記キャンセル信号を生成するために前記入力信号をフィルタリングするようにさらに構成される、請求項1に記載の装置。
【請求項３】
前記出力信号と前記キャンセル信号とを受信するために結合された結合器をさらに備える、請求項1に記載の装置。
【請求項４】
前記結合器が加算ノードである、請求項3に記載の装置。
【請求項５】
前記出力信号がターゲット周波数と少なくとも1つのブロッカー周波数とを有し、前記少なくとも1つのブロッカー周波数が前記ターゲット周波数の高調波である、請求項3に記載の装置。
【請求項６】
前記キャンセル信号が、前記ブロッカー成分の位相シフトされたバージョンを備える、請求項1に記載の装置。
【請求項７】
前記キャンセル信号が第1のキャンセル信号であり、前記出力信号が第2のブロッカー成分を含み、前記補助経路が第1の補助経路であり、第2のキャンセル信号を生成するために、前記入力信号をフィルタリングおよび位相シフトするための第2の補助経路さらに備え、前記第2のキャンセル信号が、前記出力信号の前記第2のブロッカー成分を低減またはキャンセルするために前記出力信号と結合可能である、請求項1に記載の装置。
【請求項８】
前記補助経路が、フィードフォワード補助増幅器とフィルタとを含む、請求項1に記載の装置。
【請求項９】
前記主増幅器、前記フィードフォワード補助増幅器、および前記フィルタが、単一の統合された回路内に統合される、請求項8に記載の装置。
【請求項１０】
前記フィードフォワード補助増幅器が、1組のカスケード接続されたトランジスタを備える、請求項8に記載の装置。
【請求項１１】
前記フィルタが、前記ブロッカー成分のブロッカー周波数に同調される、請求項8に記載の装置。
【請求項１２】
前記フィードフォワード補助増幅器が少なくとも1つの共通ソーストランジスタを備える、請求項8に記載の装置。
【請求項１３】
前記主増幅器が共通ゲートトランジスタを備える、請求項1に記載の装置。
【請求項１４】
第1の出力信号を生成するために入力信号を増幅するための手段と、
前記第1の出力信号のブロッカー成分を低減またはキャンセルするために、前記第1の出力信号と結合可能であるキャンセル信号を生成するために、前記入力信号の位相を調整するための手段と
を備える、装置。
【請求項１５】
増幅するための前記手段が低雑音増幅器(LNA)の主信号経路に含まれ、調整するための前記手段が前記LNAの補助信号経路に含まれる、請求項14に記載の装置。
【請求項１６】
第1の信号経路内の増幅器で、第1の出力信号を生成するために入力信号を増幅するステップと、
前記第1の出力信号のブロッカー成分を低減またはキャンセルするために、前記第1の出力信号と結合可能であるキャンセル信号を生成するために、第2の信号経路で前記入力信号の位相を調整するステップと
を備える、方法。
【請求項１７】
前記第2の信号経路内の補助増幅器の利得を調整するために、前記補助増幅器の少なくとも1つの共通ソーストランジスタのゲートに適用される電圧を調整するステップ、または、
前記補助増幅器の前記利得を調整するために、前記第2の信号経路内の前記補助増幅器の少なくとも1つの共通ソーストランジスタを選択するステップ
をさらに備える、請求項16に記載の方法。
【請求項１８】
前記第1の信号経路内の主増幅器の利得を調整するために、前記主増幅器の共通ゲートトランジスタのゲートに適用される電圧を調整するステップをさらに備える、請求項16に記載の方法。
【請求項１９】
前記入力信号の前記位相を調整するステップが、前記第2の信号経路内の補助増幅器で実行され、前記キャンセル信号を生成するステップが、
増幅された位相調整入力信号を生成するために前記入力信号を増幅するステップと、
前記増幅された位相調整信号の信号成分をフィルタリングするステップと、
前記増幅された位相調整信号のブロッカー成分を通過させるステップと
をさらに備える、請求項16に記載の方法。
【請求項２０】
前記第1の出力信号と前記キャンセル信号とを結合するステップをさらに備える、請求項16に記載の方法。
【発明の詳細な説明】
【技術分野】
【０００１】
関連出願の相互参照
本出願は、2014年1月17日に出願された共同所有された米国非仮特許出願第14/158,225号からの優先権を主張し、その内容は、その全体が参照により本明細書に明確に組み込まれる。
【０００２】
本開示は、一般にブロッカーのフィルタリングに関する。
【背景技術】
【０００３】
技術の進歩は、より小さく、より強力なコンピューティングデバイスをもたらした。たとえば、小型、軽量で、ユーザによって容易に携帯されるポータブルワイヤレス電話、携帯情報端末(PDA)、およびページングデバイスなどのワイヤレスコンピューティングデバイスを含む、様々なポータブルパーソナルコンピューティングデバイスが現存している。より具体的には、セルラー電話、インターネットプロトコル(IP)電話などのポータブルワイヤレス電話は、ワイヤレスネットワークを介して音声およびデータパケットを通信することができる。さらに、多くのそのようなワイヤレス電話は、その内部に組み込まれた他のタイプのデバイスを含む。たとえば、ワイヤレス電話は、デジタルスチールカメラ、デジタルビデオカメラ、デジタルレコーダ、およびオーディオファイルプレーヤも含むこともできる。また、そのようなワイヤレス電話は、インターネットにアクセスするために使用され得るウェブブラウザアプリケーションなどのソフトウェアアプリケーションを含む、実行可能命令を処理することができる。このように、これらのワイヤレス電話は重要なコンピュータ機能を含み得る。
【発明の概要】
【課題を解決するための手段】
【０００４】
ワイヤレス電話は、受信機で信号を受信することができる。信号は、「ターゲット」周波数を有する成分と、「ブロッカー」周波数を有する成分とを含み得る。非限定的な例として、ワイヤレス電話は、1.8GHz(たとえば、ターゲット周波数)で受信された信号を処理することができる。しかしながら、受信機はまた、他の周波数(たとえば、ブロッカー周波数)で信号(たとえば、ブロッカー)を受信することができる。強力なブロッカーは、広帯域受信アプリケーションで受信機における低雑音増幅器(LNA)の感度を減じることができる。
【図面の簡単な説明】
【０００５】
【図１】ワイヤレスシステムと通信しているワイヤレスデバイスを示す図である。
【図２】図1のワイヤレスデバイスのブロック図である。
【図３】信号成分を増幅して、ブロッカー成分を低減するように動作可能であるシステムの例示的な実施形態を示すブロック図である。
【図４】信号成分を増幅して、ブロッカー成分を低減するように動作可能である回路の例示的な実施形態を示す図である。
【図５】信号成分を増幅して、複数のブロッカー成分を低減するように動作可能であるシステムの例示的な実施形態を示すブロック図である。
【図６】信号成分を増幅して、複数のブロッカー成分を低減するように動作可能である回路の例示的な実施形態を示す図である。
【図７】信号成分を増幅して、ブロッカー成分を低減するための方法の例示的な実施形態を示す流れ図である。
【発明を実施するための形態】
【０００６】
以下に記載される詳細な説明は、本開示の例示的な設計の説明として意図されるものであり、本開示が実施され得る唯一の設計を表すことが意図されるものではない。「例示的」という用語は、本明細書では、「例、事例、または例示の働きをすること」を意味するために使用される。本明細書で「例示的」として説明されている任意の設計は、必ずしも他の設計よりも好ましいまたは有利であると解釈されるべきではない。詳細な説明は、本開示の例示的な設計の完全な理解を提供する目的のための具体的な詳細を含む。本明細書に記載される例示的な設計は、これらの具体的な詳細なしに実施され得ることは当業者には明らかであろう。いくつかの例において、よく知られている構造およびデバイスは、本明細書に提示される例示的な設計の新規性を不明瞭にしないためにブロック図の形で示されている。
【０００７】
図1は、ワイヤレス通信システム120と通信しているワイヤレスデバイス110を示している。ワイヤレス通信システム120は、ロングタームエボリューション(LTE)システム、符号分割多元接続(CDMA)システム、グローバルシステムフォーモバイルコミュニケーションズ(GSM(登録商標))システム、ワイヤレスローカルエリアネットワーク(WLAN)システム、または何らかの他のワイヤレスシステムであり得る。CDMAシステムは、広帯域CDMA(WCDMA(登録商標))、CDMA 1X、エボリューションデータオプティマイズド(EVDO)、時分割同期CDMA(TD-SCDMA)、またはCDMAの何らかの他のバージョンを実装することができる。簡潔にするために、図1は、2つの基地局130および132、ならびに1つのシステムコントローラ140を含むワイヤレス通信システム120を示す。一般的に、ワイヤレスシステムは、任意の数の基地局と、ネットワークエンティティの任意のセットとを含み得る。
【０００８】
ワイヤレスデバイス110はまた、ユーザ機器(UE)、移動局、端末、アクセス端末、加入者ユニット、局などとも呼ばれ得る。ワイヤレスデバイス110は、セルラー電話、スマートフォン、タブレット、ワイヤレスモデム、携帯情報端末(PDA)、ハンドヘルドデバイス、ラップトップコンピュータ、スマートブック、ネットブック、コードレス電話、ワイヤレスローカルループ(WLL)局、ブルートゥース(登録商標)デバイス等であり得る。ワイヤレスデバイス110は、ワイヤレスシステム120と通信することができる。ワイヤレスデバイス110はまた、1つまたは複数の全地球的航法衛星システム(GNSS)において、放送局(たとえば、放送局134)からの信号、衛星(たとえば、衛星150)からの信号等を受信することができる。ワイヤレスデバイス110は、LTE、WCDMA(登録商標)、CDMA 1X、EVDO、TD-SCDMA、GSM(登録商標)、802.11などのワイヤレス通信のための、1つまたは複数の無線技術をサポートすることもできる。
【０００９】
図2は、図1のワイヤレスデバイス110の例示的な設計のブロック図を示している。この例示的な設計では、ワイヤレスデバイス110は、プライマリアンテナ210に結合されたトランシーバ220、セカンダリアンテナ212に結合されたトランシーバ222、およびデータプロセッサ/コントローラ280を含む。トランシーバ220は、複数の周波数帯域、複数の無線技術、キャリアアグリゲーション等をサポートするために、複数(K)の受信機230pa〜230pkと、複数(K)の送信機250pa〜250pkとを含む。トランシーバ222は、複数の周波数帯域、複数の無線技術、キャリアアグリゲーション等をサポートして、複数の送信アンテナから複数の受信アンテナへの、多様性、多入力多出力(MIMO)送信を受信するために、複数(L)の受信機230sa〜230slと、複数(L)の送信機250sa〜250slとを含む。
【００１０】
図2に示される例示的な設計では、各受信機230は、LNA240と受信回路242とを含む。データ受信のために、アンテナ210は、基地局および/または他の送信局から信号を受信して、アンテナインタフェース回路224を介してルーティングされ、入力RF信号として提示された受信されたRF信号を、選択された受信機に提供する。アンテナインタフェース回路224は、スイッチ、デュプレクサ、送信フィルタ、受信フィルタ、整合回路等を含み得る。以下の説明は、受信機230paが選択された受信機であると仮定する。受信機230pa内で、LNA240paが、入力RF信号を増幅して出力RF信号を提供する。受信回路242paが出力RF信号をRFからベースバンドにダウンコンバートして、ダウンコンバートされた信号を増幅およびフィルタリングして、アナログ入力信号をデータプロセッサ280に提供する。受信回路242paは、ミキサ、フィルタ、増幅器、整合回路、発振器、局部発振器(LO)発生器、位相同期ループ(PLL)等を含み得る。トランシーバ220および222における残りの各受信機230は、受信機230paと同様に動作することができる。
【００１１】
図2に示される例示的な設計では、各送信機250は、送信回路252と電力増幅器(PA)254とを含む。データ送信のために、データプロセッサ280は、送信されるべきデータを処理(たとえば、符号化および変調)して、選択された送信機にアナログ出力信号を提供する。以下の説明は、送信機250paが選択された送信機であると仮定する。送信機250pa内で、送信回路252paが、アナログ出力信号を増幅、フィルタリング、およびベースバンドからRFにアップコンバートして、変調されたRF信号を提供する。送信回路252paは、増幅器、フィルタ、ミキサ、整合回路、発振器、LO発生器、PLL等を含み得る。PA254paは、変調されたRF信号を受信および増幅して、適切な出力電力レベルを有する送信RF信号を提供する。送信RF信号は、アンテナインタフェース回路224を介してルーティングされて、アンテナ210を介して送信される。トランシーバ220および222における残りの各送信機250は、送信機250paと同様に動作することができる。
【００１２】
図2は、受信機230および送信機250の例示的な設計を示している。受信機および送信機はまた、フィルタ、整合回路等の図2に示されていない他の回路を含み得る。トランシーバ220および222のすべてまたは一部は、1つまたは複数のアナログ集積回路(IC)、RF IC(RFIC)、混合信号IC等に実装され得る。たとえば、LNA240および受信回路242は、RFIC等であり得る1つのモジュールに実装され得る。トランシーバ220および222内の回路はまた、他の方法で実装され得る。
【００１３】
データプロセッサ/コントローラ280は、ワイヤレスデバイス110のための様々な機能を実行することができる。たとえば、データプロセッサ280は、受信機230を介して受信されるデータと、送信機250を介して送信されるデータとの処理を実行することができる。コントローラ280は、トランシーバ220および222内の様々な回路の動作を制御することができる。メモリ282は、データプロセッサ/コントローラ280のためのプログラムコードおよびデータを記憶することができる。データプロセッサ/コントローラ280は、1つまたは複数の特定用途向け集積回路(ASIC)および/または他のIC上に実装され得る。
【００１４】
ワイヤレスデバイス110は、複数の帯域グループ、複数の無線技術、および/または複数のアンテナをサポートすることができる。ワイヤレスデバイス110は、複数の帯域グループ、複数の無線技術、および/または複数のアンテナを介する受信をサポートするためにいくつかのLNAを含み得る。
【００１５】
図3を参照すると、信号成分を増幅して、ブロッカー成分を低減するように動作可能であるシステム300の例示的な実施形態が示されている。システム300は、主増幅器302、第1の補助増幅器304、負荷306、第2の補助増幅器308、および結合器310を含む。主増幅器302は、第1の信号経路(たとえば、主信号経路)に含まれ得る。第1の補助増幅器304、負荷306、および第2の補助増幅器308は、本明細書に記載されるように、第1の信号経路からのブロッカー成分を低減(または、キャンセル)するように構成された第2の信号経路312(たとえば、フィードフォワード経路)に含まれ得る。例示的な実施形態では、システム300は低雑音増幅器(LNA)に対応し得る。他の実施形態では、システム300は、他の増幅器(たとえば、電力増幅器、無線周波数(RF)電力増幅器等)に対応し得る。第1の信号経路と第2の信号経路312とを含むシステム300は、広帯域受信機に含まれ得る。
【００１６】
入力信号320は、主増幅器302と第1の補助増幅器304とに提供され得る。例示的な実施形態では、入力信号320はRF信号に対応し得る。入力信号320は、信号成分とブロッカー成分とを含み得るたとえば、信号成分はターゲット周波数を有するターゲット信号に対応し得、ブロッカー成分はブロッカー周波数を有するブロッカー信号に対応し得る。
【００１７】
例示的な実施形態では、ブロッカー成分は信号成分の高調波であり得る。非限定的な例として、信号成分は、3.8ギガヘルツ(GHz)の周波数を有し得、ブロッカー成分は、5.4GHzの周波数(たとえば、第3の高調波)を有し得る。例示的な実施形態では、ブロッカー成分は信号成分と同じソースから送信され得る。別の実施形態では、ブロッカー成分と信号成分は異なるソースから送信され得る。例示的な実施形態では、ブロッカー成分は、システム300が統合されたデバイスによって送信された信号に関連付けられる送信周波数とは無関係である。図5に関してより詳細に記載されるように、例示的な実施形態では、入力信号320は、複数の(異なる)ブロッカー周波数(たとえば、ノッチ周波数)を有する複数の(異なる)ブロッカー信号を含み得る。本明細書で使用される場合、「信号成分」と「ターゲット信号」とは交換可能に使用され得る。さらに、「ブロッカー成分」と「ブロッカー信号」とは交換可能に使用され得る。
【００１８】
主増幅器302は、入力信号320を受信するように結合される。主増幅器302は、第1の出力信号322(たとえば、第1の増幅された信号)を生成するために、入力信号320を増幅するように構成されている。たとえば、主増幅器302は、「主増幅」を実行して、主利得係数によって入力信号320の信号成分とブロッカー成分とを増幅することができる。第1の出力信号322は、ターゲット周波数を有する信号成分と、ブロッカー周波数を有するブロッカー成分とを含み得る。第1の出力信号322は、結合器310の第1の入力に提供され得る。
【００１９】
第1の補助増幅器304もまた、入力信号320を受信するように結合される。第1の補助増幅器304は、入力信号320を増幅して、入力信号320の位相を調整するように構成されている。たとえば、第1の補助増幅器304は、「第1の増幅」を実行して、第1の利得係数によって入力信号320の信号成分とブロッカー成分とを増幅することができる。例示的な実施形態では、第1の利得係数は、主増幅器302に関連付けられる主利得係数未満であり得る。第1の補助増幅器304は、以下に記載されるように、ブロッカー成分を低減する量だけ入力信号320の位相を調整することができる。たとえば、例示的な実施形態では、第1の補助増幅器304はまた、入力信号320の位相を約180度調整することができる。第1の補助増幅器304で、第1の増幅を実行して、入力信号320の位相を調整することによって、増幅された位相調整信号324を生成する。増幅された位相調整信号324は、負荷306に提供され得る。
【００２０】
負荷306は、増幅された位相調整信号324を受信するように結合される。負荷306は、ブロッカー周波数に同調されたフィルタ(たとえば、ノッチフィルタ)として動作することができる。例示的な実施形態では、負荷306は、コントローラによってプログラム可能な1つまたは複数のインダクタ-コンデンサ(LC)回路(たとえば、可変LC回路)を含み得る。たとえば、各LC回路は、スイッチ、および/またはスイッチに応答するインダクタの配列に応答する可変サイズ(キャパシタンス)を有するコンデンサの配列を含み得る。たとえば、各スイッチは、コントローラからのデジタルコード(たとえば、メモリ(たとえば、読出し専用メモリ(ROM)、またはランダムアクセスメモリ(RAM))に記憶されたコード)に基づいて選択的に起動され得る。スイッチを起動および/または停止することによって、LC回路のキャパシタンスおよび/またはインダクタンスを調整することができ、次に負荷306が同調された周波数(たとえば、ブロッカー周波数)を調整することができる。
【００２１】
負荷306は、ターゲット周波数に関連付けられる増幅された位相調整信号324の成分を除去する(たとえば、信号成分を除去する)ように構成され得る。負荷306は、ブロッカー周波数を有する増幅された位相調整ブロッカー信号326を生成するために、ブロッカー周波数(たとえば、ブロッカー成分)に関連付けられる位相調整信号324の成分を通過させることができる。増幅された位相調整ブロッカー信号326は、第2の補助増幅器308に提供され得る。
【００２２】
第2の補助増幅器308は、増幅された位相調整ブロッカー信号326を受信するように結合される。第2の補助増幅器308は、ブロッカー周波数を有するキャンセル信号328を生成するために、増幅された位相調整ブロッカー信号326を増幅するように構成されている。たとえば、第2の補助増幅器308は、「第2の増幅」を実行して、第2の利得係数によって増幅された位相調整ブロッカー信号326を増幅することができる。キャンセル信号328は、結合器310の第2の入力に提供され得る。
【００２３】
主増幅器302からの第1の出力信号322におけるブロッカー成分の振幅は、第2の信号経路312からのキャンセル信号328におけるブロッカー成分の振幅とほぼ等しくてよい。たとえば、主増幅からのブロッカー成分の振幅は、第1の増幅および第2の増幅から生じるブロッカー成分の振幅とほぼ等しくてよい。さらに、第1の出力信号322は、キャンセル信号328と位相が約180度ずれていてよい。たとえば、第1の補助増幅器304での入力信号320の位相シフトは、キャンセル信号328と位相が約180度ずれている第1の出力信号322をもたらすことができる。したがって、主増幅器302からの第1の出力信号322内のブロッカー成分と、第2の信号経路312からのキャンセル信号328内のブロッカー成分とは、ほぼ等しい振幅を有しており、位相が約180度ずれている。
【００２４】
結合器310は、ターゲット周波数を有する結果信号330を生成するために、第1の出力信号322とキャンセル信号328とを結合することができる。たとえば、キャンセル信号328は第1の出力信号322のブロッカー成分を低減(または、キャンセル)することができ、第1の出力信号322の信号成分(たとえば、ターゲット周波数を有し、主増幅器302によって増幅された成分)は、結果信号330として提供され得る。例示的な実施形態では、結果信号330は、シングルエンド結果信号であり得る。他の実施形態では、結果信号330は、図6に関して説明するような差分結果信号であり得る。
【００２５】
システム300は第1の補助増幅器304、負荷306、および第2の補助増幅器308を含むものとして示されているが、他の例示的な実施形態では、システム300は、代替的な構成を含み得る。たとえば、例示的な実施形態では、負荷306は、第1の補助増幅器304内に含まれ得る。別の例示的な実施形態では、第1の補助増幅器304の構成要素、負荷306の構成要素、および第2の補助増幅器308の構成要素は、キャンセル信号328を生成するように構成された単一の補助増幅器に含まれ得る。さらに別の例示的な実施形態では、第1の補助増幅器304および第2の補助増幅器308は、フィルタリング回路を含み得る。たとえば、第1の補助増幅器304および第2の補助増幅器308は、信号成分をフィルタリング(たとえば、削除)して、ブロッカー要素を通過させるように同調された回路(たとえば、コンデンサ、インダクタ等)を含み得る。
【００２６】
図3のシステム300は、入力信号320の増幅されたバージョンにおけるブロッカー成分を低減(またはキャンセル)することができる。たとえば、主増幅器302は、信号成分とブロッカー成分とを結合器310に通過させることができ、負荷306は、ブロッカー成分(位相調整されている)が結合器310に通過されるように、信号成分をフィルタリングして取り除く(たとえば、除去する)ことができる。ブロッカーの低減(またはキャンセル)は、結合器310(たとえば、システム300の出力)で発生し得る。たとえば、主増幅器302によって提供されるブロッカー成分の振幅は、第2の信号経路312(たとえば、第1の補助増幅器304および第2の補助増幅器308)によって提供されるブロッカー成分の振幅とほぼ等しくてよい。また、第2の信号経路312によって提供されるブロッカー成分は、主増幅器302によって提供されるブロッカー成分とは逆の位相(たとえば、180度の位相シフト)を有し、これはブロッカーキャンセル(または低減)を引き起こす。
【００２７】
図4を参照すると、信号成分を増幅して、ブロッカー成分を低減するように動作可能である回路400の例示的な実施形態が示されている。回路400は、主増幅器302、第1の補助増幅器304、負荷306、および第2の補助増幅器308を含み得る。回路400はまた、整合ネットワーク401を含み得る。例示的な実施形態では、回路400は低雑音増幅器(LNA)に対応し得る。他の実施形態では、回路400は他の増幅器(たとえば、電力増幅器、RF電力増幅器等)に対応し得る(または、それに含まれ得る)。回路400は、広帯域受信機に含まれ得る。
【００２８】
整合ネットワーク401は、入力信号320のインピーダンスをアンテナ(図示せず)のインピーダンスに整合させるように構成され得る。整合ネットワーク401は、主増幅器302に入力信号320を提供することができる。主増幅器302は、第1のトランジスタ402を含み得る。第1のトランジスタ402は、n型金属酸化膜半導体(NMOS)トランジスタであり得る。第1のトランジスタ402は、整合ネットワーク401に結合された(ローインピーダンス)ソースと、第1の出力信号322を加算ノード440に提供するように結合された(ハイインピーダンス)ドレインとを有する共通ゲートトランジスタであり得る。第1の電圧(Vb1)は、第1のトランジスタ402のゲートに適用され得る。第1の電圧(Vb1)は、主増幅器302の利得を制御するために調整可能であり得る。たとえば、第1の電圧(Vb1)を調整することによって、第1のトランジスタ402のドレインで提供された信号成分およびブロッカー成分の振幅を調整することができる。
【００２９】
入力信号320はまた、コンデンサ409を介して第1の補助増幅器304に提供され得る。第1の補助増幅器304は、第2のトランジスタ404および第3のトランジスタ405(たとえば、1組のカスケード接続されたトランジスタ)を含み得る。第2のトランジスタ404および第3のトランジスタ405は、NMOSトランジスタであり得る。第2のトランジスタ404は、共通ソーストランジスタであり得る。たとえば、第2のトランジスタ404のソースは地面に結合され得、第2のトランジスタ404のゲートは入力信号320を受信するように結合され得、第2のトランジスタ404のドレインは第3のトランジスタ405のソースに結合され得る。第2のトランジスタ404のトポロジ(たとえば、共通ソーストポロジ)は、入力信号320の約180度の位相シフトを生成することができる。たとえば、第2のトランジスタ404に提供された入力信号320の信号成分およびブロッカー成分は、180度の位相シフトを受ける場合がある。
【００３０】
第2のトランジスタ404はまた、入力信号320の信号成分およびブロッカー成分の振幅(たとえば、利得)を調整することができる。例示的な実施形態では、第2のトランジスタ404のゲートに結合された抵抗410を通した第2の電圧(Vb2)は、第1の補助増幅器304に提供された入力信号320の信号成分およびブロッカー成分の振幅を調整するように調整され得る。別の例示的な実施形態では、追加の共通ソーストランジスタ(図示せず)は、信号成分およびブロッカー成分の振幅を調整するために、第2のトランジスタ404と並列に、選択的に結合(たとえば、活性化)され得る。たとえば、第1の補助増幅器304は、少なくとも1つの共通ソーストランジスタを含み得、1の補助増幅器304の利得は、少なくとも1つの共通ソーストランジスタの共通ソーストランジスタの選択を介して調整可能である。別の例示的な実施形態では、第2の電圧(Vb2)が調整され得、追加の共通ソーストランジスタは、信号成分およびブロッカー成分の振幅を調整するために第2のトランジスタ404と並列に結合され得る。第1の補助増幅器304は、入力信号320の振幅および位相を調整することによって、増幅された位相調整信号324を生成することができる。増幅された位相調整信号324は、負荷306に提供され得る。
【００３１】
負荷306は、インダクタ407と並列に結合されたコンデンサ406を含む。例示的な実施形態では、負荷306は、バンドパスフィルタとして示されている。負荷306は、ブロッカー周波数を通過させて、ターゲット周波数に関連付けられる増幅された位相調整信号324の成分を除去(または、実質的に低減)する(たとえば、信号成分を除去する、または実質的に低減する)ために、ブロッカー周波数(または、ブロッカー周波数を含む周波数帯域)に同調され得る。たとえば、コンデンサ406のキャパシタンスとインダクタ407のインダクタンスは、ブロッカー周波数を有する増幅された位相調整信号324の成分が第2の補助増幅器308に通過(たとえば、提供)されて、他の周波数(たとえば、信号成分)を有する増幅された位相調整信号324の成分が除去される、または実質的に低減される(たとえば、フィルタリングして除去される)ように同調(たとえば、調整)され得る。したがって、負荷306は、増幅された位相調整信号324から信号成分を除去することによって、増幅された位相調整ブロッカー信号326を生成することができる。増幅された位相調整ブロッカー信号326は、第2の補助増幅器308に提供され得る。
【００３２】
負荷306は、バンドパスフィルタとして示されているが、他の実施形態では、負荷306は他のフィルタに対応し得る。たとえば、例示的な実施形態では、負荷306はハイパスフィルタを含み得る。たとえば、負荷306は、例示的な周波数を上回る周波数を有する増幅された位相調整信号324の成分(たとえば、ブロッカー成分)を通過させるように同調され得る。例示的なレベルを下回る周波数を有する成分(たとえば、信号成分)は、除去(または実質的に低減)され得る。別の例示的な実施形態では、負荷306はローパスフィルタを含み得る。たとえば、負荷306は、例示的な周波数を下回る周波数を有する増幅された位相調整信号324の成分(たとえば、ブロッカー成分)を通過させるように同調され得る。例示的なレベルを上回る周波数を有する成分(たとえば、信号成分)は、除去(または実質的に低減)され得る。
【００３３】
第2の補助増幅器308は、第4のトランジスタ408を含み得る。第4のトランジスタ408は、p型金属酸化膜半導体(PMOS)トランジスタであり得る。第4のトランジスタ408は、増幅された位相調整ブロッカー信号326を受信するように結合されたソースと、キャンセル信号328を提供するように結合されたドレインとを有する共通ゲートトランジスタであり得る。第3の電圧(Vb3)は、第4のトランジスタ408のゲートに適用され得る。第3の電圧(Vb3)は、第2の補助増幅器308の利得を制御するために調整可能であり得る。たとえば、第3の電圧(Vb3)を調整することによって、キャンセル信号328として提供された増幅された位相調整ブロッカー信号326の振幅を調整することができる。
【００３４】
増幅器302、304、308、キャンセル信号328の振幅が、第1の出力信号322のブロッカー成分の振幅とほぼ等しくなるように同調され得る。たとえば、第1の電圧(Vb1)は、第1の出力信号322のブロッカー成分の振幅が例示的なレベルになるように調整され得る。さらに、第2の電圧(Vb2)と第3の電圧(Vb3)とが、キャンセル信号328の振幅がやはり例示的なレベルになる(または、実質的に例示的なレベルになる)ように調整され得る。
【００３５】
キャンセル信号328(たとえば、電流信号)と、第1の出力信号322(たとえば、電流信号)とは、ターゲット周波数を有する結果信号330を生成するために加算ノード440に提供され得る。たとえば、キャンセル信号328は第1の出力信号322のブロッカー成分を低減(または、キャンセル)することができ、第1の出力信号322の信号成分(たとえば、ターゲット周波数を有する成分)は結果信号330として提供され得る。例示的な実施形態では、加算ノード440は、図3の結合器310に対応し得る。
【００３６】
図4の回路400は、第1の出力信号322とキャンセル信号328とを結合することによって、入力信号320におけるブロッカー成分を低減(または、キャンセル)することができる。入力信号320のブロッカー成分を除去(または、低減する)ことによって、広帯域受信用途のための増幅システム(たとえば、LNAシステム)の感度を向上させることができる。
【００３７】
図5を参照すると、信号成分を増幅して、複数のブロッカー成分を低減するように動作可能であるシステム500の例示的な実施形態が示されている。システム500は、主増幅器302、第1の補助増幅器304、負荷306、第2の補助増幅器308、および結合器310などの、図3のシステム300の構成要素を含む。システム500はまた、第3の補助増幅器504、第2の負荷506、および第4の補助増幅器508を含む。第3の補助増幅器504、第2の負荷506、および第4の補助増幅器508は、第1の信号経路の追加のブロッカー成分を低減(または、キャンセル)するように構成された第3の信号経路512(たとえば、フィードフォワード経路)に含まれ得る。例示的な実施形態では、システム500は、LNAに対応し得る。他の実施形態では、システム500は他の増幅器に対応し得る(たとえば、電力増幅器、RF電力増幅器等)。システム500は、広帯域受信機に含まれ得る。
【００３８】
第3の補助増幅器504は、入力信号320を受信するように結合される。第3の補助増幅器504は、第1の補助増幅器304と実質的に同様の方法で、入力信号320を増幅して、入力信号320の位相を調整するように構成され得る。たとえば、第3の補助増幅器504は、「第3の増幅」を実行して、第3の利得係数によって入力信号320の信号成分およびブロッカー成分を増幅することができる。例示的な実施形態では、第3の利得係数は、主増幅器302に関連付けられる主利得係数未満であり得る。第3の補助増幅器504はまた、入力信号320の位相を約180度調整することができる。第3の補助増幅器504で、第3の増幅を実行して、入力信号320の位相を調整することによって、第2の増幅された位相調整信号524を生成する。第2の増幅された位相調整信号524は、第2の負荷506に提供され得る。
【００３９】
第2の負荷506は、第2の増幅された位相調整信号524を受信するように結合される。第2の負荷506は、第2のブロッカー周波数に同調されたフィルタ(たとえば、第2のノッチフィルタ)として動作することができる。第2の負荷506は、バンドパスフィルタ、ローパスフィルタ、またはハイパスフィルタを含み得る。第2の負荷506は、第2のブロッカー周波数に関して負荷306と実質的に同様の方法で動作することができる。たとえば、負荷306は、第1のブロッカー周波数を有するブロッカー成分を通過させるために第1のブロッカー周波数に同調され得、第2の負荷506は、第2のブロッカー周波数を有するブロッカー成分(たとえば、第2のブロッカー成分)を通過させるために第2のブロッカー周波数(たとえば、異なるブロッカー周波数)に同調され得る。例示的な実施形態では、第1のブロッカー周波数はターゲット周波数の第1の例示的な高調波であり得、第2のブロッカー周波数はターゲット周波数の異なる高調波であり得る。非限定的な例として、第1のブロッカー周波数はターゲット周波数の第3の高調波であり得、第2のブロッカー周波数はターゲット周波数の第5の高調波であり得る。第2のブロッカー成分を通過させることによって、第2のブロッカー周波数を有する第2の増幅された位相調整ブロッカー信号526を生成することができる。
【００４０】
例示的な実施形態では、第1のブロッカー周波数と第2のブロッカー周波数とは、重複する周波数帯域幅を有し得る。別の例示的な実施形態では、第1のブロッカー周波数と第2ブロッカー周波数とは、重複しない帯域幅を有し得る。
【００４１】
第4の補助増幅器508は、第2の増幅された位相調整ブロッカー信号526を受信するように結合される。第4の補助増幅器508は、第2の補助増幅器308と実質的に同様の方法で動作することができる。たとえば、第4の補助増幅器508は、第2のブロッカー周波数を有する第2のキャンセル信号528を生成するために、第2の増幅された位相調整ブロッカー信号526を増幅するように構成され得る。第2のキャンセル信号528はまた、結合器310に提供され得る。
【００４２】
主増幅器302からの第1の出力信号322における第2のブロッカー成分の振幅は、第3の信号経路512からの第2のキャンセル信号528における第2のブロッカー成分の振幅とほぼ等しくてよい。さらに、第1の出力信号322は、第2の消去信号528と位相が約180度ずれていてよい。したがって、主増幅器302からの第1の出力信号322内の第2のブロッカー成分と、第3の信号経路512からの第2のキャンセル信号528内の第2のブロッカー成分とは、ほぼ等しい振幅を有しており、位相が約180度ずれている。
【００４３】
結合器310は、ターゲット周波数を有する結果信号530を生成するために、第1の出力信号322と、キャンセル信号328および第2のキャンセル信号528とを結合することができる。たとえば、キャンセル信号328は、第1のブロッカー周波数を有する第1の出力信号322のブロッカー成分を低減(または、キャンセル)することができ、第2のキャンセル信号528は、第2のブロッカー周波数を有する第1の出力信号322の第2のブロッカー成分を低減(または、キャンセル)することができる。第1の出力信号322の信号成分(たとえば、ターゲット周波数を有する成分)は、結果信号530として提供され得る。
【００４４】
図5のシステム500は、入力信号320内の異なるブロッカー成分を低減(または、キャンセル)することができる。たとえば、異なる信号経路312、512(たとえば、フィードフォワード経路)は、別のブロッカー周波数に同調された異なる負荷306、506を含み得る。信号経路312、512は、第1の出力信号322の対応するブロッカー成分を低減(または、キャンセル)させるために、それぞれのブロッカー周波数に基づいてキャンセル信号328、528を生成することができる。図5のシステム500は、2つのブロッカー周波数を低減(キャンセル)するように構成された2つの信号経路を示しているが、他の実施形態では、追加のブロッカー周波数をキャンセルするために追加の信号経路(たとえば、フィードフォワード経路)が追加され得る。非限定的な例として、5つの追加のブロッカー周波数をキャンセルするために、5つの信号経路がシステム500に追加され得る。
【００４５】
図6を参照すると、信号成分を増幅して、複数のブロッカー成分を低減するように動作可能である回路600の例示的な実施形態が示されている。回路600は、整合ネットワーク401、第1のトランジスタ402、第2のトランジスタ404、第3のトランジスタ405、第4のトランジスタ408、コンデンサ406、およびインダクタ407などの、図4の回路400の回路の構成要素を含む。回路600はまた、以下に説明するように、追加のブロッカー成分を除去するための、追加の回路構成要素を含む。例示的な実施形態では、回路600は複数のノッチを有する差動LNAに対応し得る。他の実施形態では、回路600は、複数のノッチを有する他の差動増幅器(たとえば、差動電力増幅器、差動RF電力増幅器等)に対応し得る。回路600は、広帯域受信機に含まれ得る。
【００４６】
回路600は、第5のトランジスタ604および第6のトランジスタ605を含み得る。第5のトランジスタ604および第6のトランジスタ605は、NMOSトランジスタであり得る。例示的な実施形態では、第5のトランジスタ604および第6のトランジスタ605は、図5の第3の補助増幅器504に含まれ得る。第5のトランジスタ604は、共通ソーストランジスタであり得る。たとえば、第5のトランジスタ604のソースは地面に結合され得、第5のトランジスタ604のゲートは入力信号320を受信するように結合され得、第5のトランジスタ604のドレインは第6のトランジスタ605のソースに結合され得る。第5のトランジスタ604のトポロジ(たとえば、共通ソーストポロジ)は、入力信号320の約180度の位相シフトを生成することができる。たとえば、第5のトランジスタ604に提供された入力信号320の信号成分およびブロッカー成分は、180度の位相シフトを受ける場合がある。
【００４７】
第5のトランジスタ604はまた、入力信号320の信号成分およびブロッカー成分の振幅を調整することができる。例示的な実施形態では、第5のトランジスタ604のゲートに結合された抵抗410を通した第2の電圧(Vb2)が、信号成分およびブロッカー成分の振幅を調整するように調整され得る。したがって、第2の電圧(Vb2)は、第2のトランジスタ404に関連付けられる利得と、第5のトランジスタ604に関連付けられる利得とを調整することができる。別の例示的な実施形態では、追加の共通ソーストランジスタ(図示せず)は、信号成分およびブロッカー成分の振幅を調整するために、第5のトランジスタ604と並列に結合され得る。別の実施形態では、第2の電圧(Vb2)が調整され得、追加の共通ソーストランジスタは、信号成分およびブロッカー成分の振幅を調整するために、第5のトランジスタ604と並列に結合され得る。
【００４８】
コンデンサ606は、バンドパスフィルタとしてインダクタ607と並列に結合され得る。コンデンサ606とインダクタ607とは、図5の第2の負荷506に対応し得る。バンドパスフィルタは、第2のブロッカー成分を通過させるために、第2のブロッカー周波数に同調され得る。第2のブロッカー成分を通過させることによって、第2のブロッカー周波数を有する第2の増幅された位相調整ブロッカー信号526を生成することができる。
【００４９】
第2の増幅された位相調整ブロッカー信号526は、第7のトランジスタ647のゲートに(コンデンサを介して)、および第8のトランジスタ648のソースに提供され得る。差動出力680、681の約180度の位相シフトを可能にするために、第7のトランジスタ647のトポロジは、第8のトランジスタ648のトポロジとは異なる場合がある。たとえば、第7のトランジスタ647は共通ソーストランジスタであり得、第8のトランジスタ648は共通ゲートトランジスタであり得る。第7のトランジスタ647および第8のトランジスタ648は、PMOSトランジスタであり得る。第8のトランジスタ648のドレインは第1の差動出力680に結合され得、第7のトランジスタ647のドレインは第2の差動出力681に結合され得る。第4の電圧(Vb4)は、第8のトランジスタ648のゲートに適用され得る。第4の電圧(Vb4)は、第2のブロッカー周波数に対するキャンセル信号として第1の差動出力680に提供された第2の位相調整されたブロッカー信号526の振幅を制御するために調整可能であり得る。第5の電圧(Vb5)は、第7のトランジスタ647のゲートに結合され得る(レジスタを介して)。第5の電圧(Vb5)は、第2のブロッカー周波数に対するキャンセル信号として第2の差動出力681に提供された第2の位相調整されたブロッカー信号526の振幅を制御するために調整可能であり得る。
【００５０】
増幅された位相調整ブロッカー信号326は、第4のトランジスタ408のソースに、および第9のトランジスタ645のゲートに提供され得る(コンデンサを介して)。第4のトランジスタ408のドレインは第1の差動出力680に結合され得、第9のトランジスタ645のドレインは第2の差動出力681に結合され得る。第9のトランジスタ645および第7のトランジスタ647は、第2の差動出力681に結合されたドレインを有する共通ソーストランジスタであり得る。第3の電圧(Vb3)は、第1のブロッカー周波数に対するキャンセル信号として第1の差動出力680に提供された位相調整されたブロッカー信号326の振幅を制御するために調整可能であり得る。第6の電圧(Vb6)は、第9のトランジスタ645のゲートに結合され得る(レジスタを介して)。第6の電圧(Vb6)は、第1のブロッカー周波数に対するキャンセル信号として第2の差動出力681に提供された位相調整されたブロッカー信号326の振幅を制御するために調整可能であり得る。
【００５１】
図6の回路600は、入力信号320内の異なるブロッカー成分を低減(または、キャンセル)することができる。たとえば、第1の負荷(たとえば、コンデンサ406およびインダクタ407)は、第1のブロッカー周波数を有する入力信号320のブロッカー成分を低減するための差分キャンセル信号を生成するために、第1のブロッカー周波数に同調され得る。第2の負荷(たとえば、コンデンサ606およびインダクタ607)は、第2のブロッカー周波数を有する入力信号320のブロッカー成分を低減するための差分キャンセル信号を生成するために、第2のブロッカー周波数に同調され得る。図6の回路600は、複数の周波数でブロッカー成分を低減(または、キャンセル)するために、複数のキャンセル信号を生成できることが理解されよう。
【００５２】
図7を参照すると、信号成分を増幅して、ブロッカー成分を低減するための方法の例示的な実施形態を示す流れ図が示されている。例示的な実施形態では、方法700は、図1〜図2のワイヤレスデバイス110、図3のシステム300、図4の回路400、図5のシステム500、図6の回路600、またはそれらの任意の組合せを使用して実行され得る。
【００５３】
方法700は、702で、第1の信号経路内の増幅器で、第1の出力信号を生成するために入力信号を増幅するステップを含む。たとえば、図3を参照すると、主増幅器302は、第1の出力信号322を生成するために入力信号320を増幅することができる。入力信号320は、ターゲット周波数を有する信号成分と、ブロッカー周波数を有するブロッカー成分とを含み得る。主増幅器302は、「主増幅」を実行して、主利得係数によって入力信号320の信号成分とブロッカー成分とを増幅することができる。第1の出力信号322は、ターゲット周波数を有する信号成分と、ブロッカー周波数を有するブロッカー成分とを含み得る。
【００５４】
方法700はまた、704で、第1の出力信号のブロッカー成分を低減またはキャンセルするために、第1の出力信号と結合可能であるキャンセル信号を生成するために、第2の信号経路で入力信号の位相を調整するステップを含み得る。たとえば、図3を参照すると、第1の補助増幅器304は、入力信号320を増幅して、入力信号320の位相を調整することができる。第1の補助増幅器304は、「第1の増幅」を実行して、第1の利得係数によって入力信号320の信号成分およびブロッカー成分を増幅することができる。例示的な実施形態では、第1の利得係数は、主増幅器302に関連付けられる主利得係数未満であり得る。第1の補助増幅器304はまた、入力信号320の位相を約180度調整することができる。第1の補助増幅器304で、第1の増幅を実行して、入力信号320の位相を調整することによって、増幅された位相調整信号324を生成することができる。負荷306は、ブロッカー周波数に同調されたフィルタ(たとえば、ノッチフィルタ)として動作することができる。負荷306は、ターゲット周波数に関連付けられる増幅された位相調整信号324の成分を除去(たとえば、信号成分を除去)することができる。負荷306は、ブロッカー周波数を有する増幅された位相調整ブロッカー信号326を生成するために、ブロッカー周波数に関連付けられる位相調整信号324の成分(たとえば、ブロッカー成分)を通過させることができる。第2の補助増幅器308は、ブロッカー周波数を有するキャンセル信号328を生成するために、増幅された位相調整ブロッカー信号326を増幅することができる。たとえば、第2の補助増幅器308は、「第2の増幅」を実行して、第2の利得係数によって増幅された位相調整ブロッカー信号326を増幅することができる。
【００５５】
例示的な実施形態では、方法700は、補助増幅器の利得を調整するために、第2の信号経路内の補助増幅器の少なくとも1つの共通ソーストランジスタのゲートに適用される電圧を調整するステップを含み得る。たとえば、図4を参照すると、第2のトランジスタ404のゲートに結合された抵抗410を通した第2の電圧(Vb2)が、第1の補助増幅器304に提供された入力信号320の信号成分およびブロッカー成分の振幅を調整するように調整され得る。
【００５６】
例示的な実施形態では、方法700は、補助増幅器の利得を調整するために、第2の信号経路内の補助増幅器の少なくとも1つの共通ソーストランジスタを選択するステップを含み得る。たとえば、図4を参照すると、追加の共通ソーストランジスタ(図示せず)は、信号成分およびブロッカー成分の振幅を調整するために、第2のトランジスタ404と並列に、選択的に結合(たとえば、活性化)され得る。第1の補助増幅器304は少なくとも1つの共通ソーストランジスタを含み得、第1の補助増幅器304の利得は、少なくとも1つの共通ソーストランジスタの例示的な共通ソーストランジスタの選択を介して調整可能である。
【００５７】
例示的な実施形態では、方法700は、主増幅器の利得を調整するために、第1の信号経路内の主増幅器の共通ゲートトランジスタのゲートに適用される電圧を調整するステップを含み得る。たとえば、図4を参照すると、第1の電圧(Vb1)は、主増幅器302の利得を制御するために調整可能であり得る(たとえば、第1の電圧(Vb1)を調整することによって、第1のトランジスタ402のドレインで提供された信号成分およびブロッカー成分の振幅を調整することができる)。
【００５８】
例示的な実施形態では、方法700は、第1の出力信号とキャンセル信号とを結合するステップを含み得る。たとえば、図3を参照すると、第1の出力信号322は、キャンセル信号328と位相が約180度ずれていてよい(たとえば、第1の補助増幅器304での入力信号320の位相シフトは、キャンセル信号328と位相が約180度ずれている第1の出力信号322をもたらすことができる)。したがって、主増幅器302からのブロッカー成分と、第2の信号経路312からのブロッカー成分(たとえば、キャンセル信号328)とは、ほぼ等しい振幅を有し、位相が約180度ずれていてよい。結合器310は、ターゲット周波数を有する結果信号330を生成するために、第1の出力信号322とキャンセル信号328とを結合することができる。たとえば、キャンセル信号328は、第1の出力信号322のブロッカー成分を低減(または、キャンセル)することができ、第1の出力信号322の信号成分(たとえば、ターゲット周波数を有する成分)は、結果信号330として提供され得る。
【００５９】
図7の方法700は、入力信号320内のブロッカー成分を低減(または、キャンセル)することができる。たとえば、主増幅器302は、信号成分とブロッカー成分とを結合器310に通過させることができ、負荷306は、ブロッカー成分(位相シフトされている)が結合器310に通過されるように、信号成分をフィルタリングして取り除く(たとえば、除去する)ことができる。ブロッカーの低減(またはキャンセル)は、結合器310で発生し得る。たとえば、主増幅器302によって提供されるブロッカー成分の振幅は、第2の信号経路312(たとえば、第1の補助増幅器304および第2の補助増幅器308)によって提供されるブロッカー成分の振幅とほぼ等しくてよい。また、第2の信号経路312によって提供されるブロッカー成分は、主増幅器302によって提供されるブロッカー成分とは逆の位相(たとえば、180度の位相シフト)を有し得、これはブロッカーキャンセル(または低減)を引き起こす。
【００６０】
説明された実施形態に関連して、装置は、第1の出力信号を生成するために入力信号を増幅するための手段を含む。入力信号は、ターゲット周波数を有する信号成分と、ブロッカー周波数を有するブロッカー成分とを含み得る。たとえば、入力信号を増幅するための手段は、図1〜図2のワイヤレスデバイス110、図3〜図5の主増幅器302、図3の第1の信号経路、図4および図6の第1のトランジスタ402、入力信号を増幅するための1つまたは複数の他のデバイス、回路、モジュール、あるいは命令、あるいはそれらの任意の組合せを含み得る。
【００６１】
本装置はまた、第1の出力信号のブロッカー成分を低減またはキャンセルするために、第1の出力信号と結合可能であるキャンセル信号を生成するために、入力信号の位相を調整するための手段を含み得る。たとえば、入力信号の位相を調整するための手段は、図1〜図2のワイヤレスデバイス110、図3の第1の補助増幅器304、第3の第2の信号経路図312、図4の第2のトランジスタ404、図4の第3のトランジスタ405、図5の第3の補助増幅器504、図5の第3の信号経路図512、図6の第5トランジスタ604、図6の第6のトランジスタの605、入力信号を調整するための1つまたは複数の他のデバイス、回路、モジュール、あるいは命令、あるいはそれらの任意の組合せを含み得る。
【００６２】
当業者は、本明細書に開示された実施形態に関連して説明した様々な例示的な論理ブロック、構成、モジュール、回路、およびアルゴリズムステップは、電子ハードウェア、プロセッサによって実行されるコンピュータソフトウェア、または両方の組合せとして実装され得ることをさらに理解するであろう。様々な例示的な構成要素、ブロック、構成、モジュール、回路、およびステップは、これまで、それらの機能の観点から上記で一般的に説明されてきた。そのような機能が、ハードウェアとして実装されるか、プロセッサ実行可能命令として実装されるかは、特定のアプリケーションと、システム全体に課される設計制約とに依存する。当業者は、説明された機能を特定のアプリケーションごとに様々な方法で実装することができるが、そのような実装形態の決定は、本開示の範囲からの逸脱を引き起こすものと解釈されるべきではない。
【００６３】
本明細書に開示された実施形態に関連して説明した方法またはアルゴリズムのステップは、直接的にハードウェアで、プロセッサによって実行されるソフトウェアモジュールで、または両者の組合せで具現化され得る。ソフトウェアモジュールは、ランダムアクセスメモリ(RAM)、フラッシュメモリ、読取り専用メモリ(ROM)、プログラム可能読取り専用メモリ(PROM)、消去可能プログラム可能読取り専用メモリ(EPROM)、電気的消去可能プログラム可能読取り専用メモリ(EEPROM)、レジスタ、ハードディスク、リムーバブルディスク、コンパクトディスク読取り専用メモリ(CD-ROM)、または当技術分野において知られている任意の他の形の非一時的記憶媒体内に存在することができる。例示的な記憶媒体は、プロセッサが記憶媒体から情報を読み取り、記憶媒体に情報を書き込み得るように、プロセッサに結合される。代替では、記憶媒体はプロセッサと一体であり得る。プロセッサおよび記憶媒体は、特定用途向け集積回路(ASIC)内に存在することができる。ASICは、コンピューティングデバイスまたはユーザ端末内に存在することができる。代替では、プロセッサおよび記憶媒体は、コンピューティングデバイスまたはユーザ端末内に個別の構成要素として存在することができる。
【００６４】
開示された実施形態の上記の説明は、当業者が開示された実施形態を作成または使用することを可能にするために提供される。これらの実施形態に対する様々な変更は、当業者には容易に明らかになり、本明細書において規定された原理は、本開示の範囲から逸脱することなしに、他の実施形態に適用することができる。したがって、本開示は、本明細書に示される実施形態に限定されることを意図するものではなく、以下の特許請求の範囲によって規定される原理および新規な特徴と一致する、取り得る最も広い範囲を与えられるべきである。
【符号の説明】
【００６５】
110  ワイヤレスデバイス
120  ワイヤレス通信システム
130  基地局
132  基地局
134  放送局
140  システムコントローラ
150  衛星
210  プライマリアンテナ
210  アンテナ
220  トランシーバ
212  セカンダリアンテナ
222  トランシーバ
224  アンテナインタフェース回路
230  受信機
230pa〜230pk  受信機
230sa〜230sl  受信機
240  LNA
242  受信回路
242pa  受信回路
250  送信機
250pa〜250pk  送信機
250sa〜250sl  送信機
252  送信回路
254  電力増幅器
280  データプロセッサ/コントローラ
282  メモリ
300  システム
302  主増幅器
304  第1の補助増幅器
306  負荷
308  第2の補助増幅器
310  結合器
312  第2の信号経路
320  入力信号
322  第1の出力信号
324  増幅された位相調整信号
324  位相調整信号
326  増幅された位相調整ブロッカー信号
328  キャンセル信号
330  結果信号
400  回路
401  整合ネットワーク
402  第1のトランジスタ
404  第2のトランジスタ
405  第3のトランジスタ
406  コンデンサ
407  インダクタ
408  第4のトランジスタ
409  コンデンサ
440  加算ノード
500  システム
504  第3の補助増幅器
506  第2の負荷
508  第4の補助増幅器
512  第3の信号経路
524  第2の増幅された位相調整信号
526  第2の増幅された位相調整ブロッカー信号
528  第2のキャンセル信号
530  結果信号
600  回路
604  第5のトランジスタ
605  第6のトランジスタ
606  コンデンサ
607  インダクタ
645  第9のトランジスタ
647  第7のトランジスタ
648  第8のトランジスタ
680  差動出力
681  差動出力
700  方法
【図１】
2017503431.tif 000003
【図２】
2017503431.tif 000004
【図３】
2017503431.tif 000005
【図４】
2017503431.tif 000006
【図５】
2017503431.tif 000007
【図６】
2017503431.tif 000008
【図７】
2017503431.tif 000009
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
入力信号を受信して、出力信号を生成するように構成された主増幅器であって、前記出力信号が、ターゲット信号と少なくとも1つのブロッカー信号とを含む主増幅器と、
キャンセル信号を生成するために、前記入力信号を位相シフトするように構成された補助経路であって、
前記入力信号を受信して、増幅された位相調整ターゲット信号と、増幅された位相調整ブロッカー信号とを生成するように構成された第1の補助増幅器と、
前記増幅された位相調整ターゲット信号から、前記増幅された位相調整ブロッカー信号を分離するように構成されたフィルタと、
前記増幅された位相調整ブロッカー信号を受信して、前記出力信号の少なくとも1つのブロッカー信号を低減またはキャンセルするために前記キャンセル信号を生成するように構成された第2の補助増幅器と
を含む補助経路と
を備える、装置。
【請求項２】
前記キャンセル信号が、前記少なくとも1つのブロッカー信号と位相が実質的に180度ずれている、請求項1に記載の装置。
【請求項３】
前記出力信号と前記キャンセル信号とを受信するために結合された結合器をさらに備える、請求項1に記載の装置。
【請求項４】
前記結合器が加算ノードである、請求項3に記載の装置。
【請求項５】
前記少なくとも1つのブロッカー信号が前記ターゲット信号の高調波である、請求項3に記載の装置。
【請求項６】
前記キャンセル信号が、前記少なくとも1つのブロッカー信号の位相シフトされたバージョンを備える、請求項1に記載の装置。
【請求項７】
前記キャンセル信号が第1のキャンセル信号であり、前記出力信号が第2のブロッカー信号を含み、前記補助経路が第1の補助経路であり、第2のキャンセル信号を生成するために、前記入力信号をフィルタリングおよび位相シフトするための第2の補助経路さらに備え、前記第2のキャンセル信号が、前記出力信号の前記第2のブロッカー信号を低減またはキャンセルするために前記出力信号と結合可能である、請求項1に記載の装置。
【請求項８】
前記装置が、低雑音増幅器、電力増幅器、トランシーバ、および受信機のうちの1つを含む、請求項1に記載の装置。
【請求項９】
前記主増幅器、前記第1の補助増幅器、および前記フィルタが、単一の統合された回路内に統合される、請求項1に記載の装置。
【請求項１０】
前記第1の補助増幅器が、1組のカスケード接続されたトランジスタを備える、請求項1に記載の装置。
【請求項１１】
前記フィルタが、前記少なくとも1つのブロッカー信号のブロッカー周波数に同調される、請求項1に記載の装置。
【請求項１２】
前記第1の補助増幅器が少なくとも1つの共通ソーストランジスタを備える、請求項8に記載の装置。
【請求項１３】
前記主増幅器が共通ゲートトランジスタを備える、請求項1に記載の装置。
【請求項１４】
第1の信号経路で、第1の出力信号を生成するために入力信号を増幅するための手段であって、前記第1の出力信号が、ターゲット信号と少なくとも1つのブロッカー信号とを含む手段と、
第2の信号経路で、増幅された位相調整ターゲット信号と、増幅された位相調整ブロッカー信号とを生成するために前記入力信号を増幅して位相シフトするための手段と、
前記第2の信号経路で、前記増幅された位相調整ターゲット信号から前記増幅された位相調整ブロッカー信号を分離するための手段と、
前記第2の信号経路で、前記第1の出力信号のブロッカー成分を低減またはキャンセルするために、前記第1の出力信号と結合可能であるキャンセル信号を生成するために、前記増幅された位相調整ブロッカー信号を増幅するための第2の手段と
を備える、装置。
【請求項１５】
増幅するための前記手段が低雑音増幅器(LNA)の主信号経路に含まれ、分離するための前記手段が前記LNAの補助信号経路に含まれる、請求項14に記載の装置。
【請求項１６】
第1の信号経路内の増幅器で、第1の出力信号を生成するために入力信号を増幅するステップであって、前記第1の出力信号が、ターゲット信号と少なくとも1つのブロッカー信号とを含むステップと、
第2の信号経路で、増幅された位相調整ターゲット信号と、増幅された位相調整ブロッカー信号とを生成するために前記入力信号を増幅して位相シフトするステップと、
前記第2の信号経路で、前記増幅された位相調整ターゲット信号から前記増幅された位相調整ブロッカー信号を分離するために、フィルタリングするステップと、
前記第2の信号経路で、前記第1の出力信号の少なくとも1つのブロッカー信号を低減またはキャンセルするために、前記第1の出力信号と結合可能であるキャンセル信号を生成するために、前記増幅された位相調整ブロッカー信号を増幅するステップと
を備える、方法。
【請求項１７】
前記第2の信号経路内の補助増幅器の利得を調整するために、前記補助増幅器の少なくとも1つの共通ソーストランジスタのゲートに適用される電圧を調整するステップ、または、
前記補助増幅器の前記利得を調整するために、前記第2の信号経路内の前記補助増幅器の少なくとも1つの共通ソーストランジスタを選択するステップ
をさらに備える、請求項16に記載の方法。
【請求項１８】
前記第1の信号経路内の主増幅器の利得を調整するために、前記主増幅器の共通ゲートトランジスタのゲートに適用される電圧を調整するステップをさらに備える、請求項16に記載の方法。
【請求項１９】
第3の信号経路で第2のキャンセル信号を生成して、前記第2のキャンセル信号と出力信号とを結合するステップをさらに備える、請求項16に記載の方法。
【請求項２０】
前記キャンセル信号が、前記少なくとも1つのブロッカー信号と位相が実質的に180度ずれている、請求項16に記載の方法。
【国際調査報告】
2017503431.tif 000010
2017503431.tif 000011
2017503431.tif 000012